(57)【要約】      （修正有）【課題】枠組足場のメッシュシートの取付け作業効率の向上と繰返し使用によるコストダウンができるハトメ用連続フックを提供する。【解決手段】仮設足場の建枠９方向のメッシュシート１０の縁とほぼ同じ長さの縦方向の平ベルト１と、左右に分かれたフック２と、平ベルト１を締付ける横方向の平ベルト５で構成され、平ベルト５の端部には平ベルト５を締付ける金具ともう一方の端部側には余った平ベルトを留めるための面ファスナーがついている。平ベルト１に、メッシュシート１０のハトメ１１の穴に、フック２がハトメと同間隔で連続してフック固定手段で取付ける。各ハトメ１１はフック２に引っ掛けているので、平ベルト１に風圧等の力が伝達してメッシュシート１０が煽られて建地との隙間が大きくなって飛来落下の原因とならないように平ベルト５で安全な間隔で建枠９に締付けて固定する。【選択図】図１２
2017150293.tif 000002
【特許請求の範囲】
【請求項１】
枠組足場のメッシュシートのハトメを引掛ける左右に分かれたフックと、該フックを固定すると共に枠組足場の建枠に沿わす縦方向の平ベルトと、枠組足場の建枠に横方向の平ベルトを締付ける固定金具と該平ベルトを締付けた時に余った平ベルト部分を留める面ファスナーを有する横方向の平ベルトとからなり、左右のメッシュシートの縦方向のハトメと同間隔で左右分かれたフックを固定できる手段で連続して取付けて配置すること特徴とする枠組足場のメッシュシートのハトメ用連続フック。
【請求項２】
枠組足場のメッシュシートのハトメを引掛ける左右に分かれたフックと、該フックを固定すると共に枠組足場の建枠に沿わす縦方向の平ベルトを通す中空部分を有する金具と、枠組足場の建枠に沿わす縦方向の平ベルトと、枠組み足場に巻付ける横方向の平ベルトとからなり、左右のメッシュシートの縦方向のハトメと同間隔に前記金具をカシメて配置すること特徴とする枠組足場のメッシュシートのハトメ用連続フック。
【請求項３】
請求項２に記載の連続フックにおいて、前記横方向の平ベルトを建枠に横方向の平ベルトを締付ける固定金具と横方向の平ベルトを締付けた時に余った該平ベルト部分を留める面ファスナーを配置する事を特徴とするメッシュシートのハトメ用連続フック。
【発明の詳細な説明】
【技術分野】
【０００１】本発明は枠組足場のメッシュシートのハトメをジョイントロープで結束して留めるのではなく、該ハトメにフックで引掛けて留める連続フックに関するものである。
【背景技術】
【０００２】従来の枠組足場のメッシュシートを留める場合、メッシュシート左右の縦方向上下端部のハトメはシートクランプで留め、上下端部以外の中間の縦方向のハトメは隣同士をジョイントロープで結束してメッシュシートを留めていた。
【先行技術文献】
【特許文献】
【０００３】
【特許文献１】  実開昭６２−１６５３３７
【発明の概要】
【発明が解決しようとする課題】
【０００４】従来は次のような欠点があった。
上下端部以外の中間の縦方向は、最初にハトメ同士をジョイントロープで結束しさらに建枠に巻付けて再度結束するが、鳶工の習熟度で作業時間や結束強度に違いが生じ、また、メッシュシートの解体時もジョイントロープを解くのにも時間がかかり、ジョイントロープも使い捨てが多く出ていた。
本発明は、以上のような従来の欠点を鑑み、メッシュシートのハトメ用連続フックを提供して作業効率の向上と繰返し使用できる事によるコストダウンを目的としている。
【課題を解決するための手段】
【０００５】上記目的を達成するために、本発明は三つの部材で構成されていて、第一の部材は仮設足場の建枠方向のメッシュシートの縁とほぼ同じ長さ５１００ｍｍの縦方向の平ベルト、第二の部材は左右に分かれたフック、第三の部材は第一の部材の縦方向の平ベルトを締付ける横方向の平ベルトで、その平ベルトの端部には平ベルトを締付ける金具ともう一方の端部側には横方向の平ベルトで締付けて余った平ベルトを留めるための面ファスナーがついている横方向の平ベルトの三つの部材で構成され、第一の部材である縦方向の平ベルトに建枠方向のメッシュシートのハトメの穴に、第二の部材である左右に分かれたフックが左右のメッシュシートのハトメの穴に入る位置にハトメと同間隔で連続してフックを固定できる手段で取付けるが、フックの固定する手段に関しては、フックを固定する補強部材を糸で縫付け、又は、溶融圧着する手段、フックと一体となった金具を平ベルトにカシメて固定する手段、その他の手段があると思われるが、フックを確実に固定出来れば特に取付け手段はこだわらない、メッシュシートの各ハトメは第二の部材であるフックに引っ掛けているので、そのフックから第一の部材である縦方向の平ベルトに風圧等の力が伝達してメッシュシートが煽られてメッシュシートと建地との隙間が大きくなって飛来落下の原因とならないように第三の部材である横方向の平ベルトは従来のジョイントロープの規定引っ張り強度よりも引っ張り強度が大きい平ベルトを使用する事により、横方向の平ベルト取付け間隔をメッシュシートのジョイントロープよりも広くしても安全な間隔で建枠に締付けて固定し、さらに、枠組足場に最初に縦方向の平ベルトを取付け時に補助部材として縦方向の平ベルトの上下両端部に穴を開け、ヒモを通しヒモの端部に足場枠に引掛けるフックを取付けて縦方向の平ベルトが落ちないようしたり、その穴にヒモを通して足場枠に結び付けて縦方向の平ベルトが風に流されないようにして作業効率の向上を目的とする事を特徴とするメッシュシートのハトメ用連続フック。
【発明の効果】
【０００６】以上の説明から明らかなように、本発明にあっては次に列挙する効果が得られる。
（１）メッシュシートのハトメ用連続フックにする事により、ジョイントロープで建枠に結束する手間がハトメをフックに引掛ける手間になって作業効率が上がる。
（２）ジョイントロープに比べて引っ張り強度の強い平ベルトを使用することによって風でメッシュシートが飛ばされないように建枠に結束するジョイントロープよりも平ベルトの結束する間隔を広くすることにより作業能率が上がり、また、ジョイントロープを平ベルトに変更する事で使い捨てがなくなる。
（３）メッシュシートを解体する場合、横方向の平ベルトを外して縦方向の平ベルトを下方向に引っ張れば平ベルトを外した範囲のフックは一度に解体出来き、解体時間短縮になる。
【図面の簡単な説明】
【０００７】
【図１】は枠組足場の建枠に沿わす縦方向の平ベルトと建枠に巻き付ける横方向の平ベルトと左右に分かれたフックがある部分を表から見た平面図
【図２】は枠組足場の建枠に沿わす縦方向の平ベルトと建枠に巻き付ける横方向の平ベルトと左右に分かれたフックがある部分を裏から見た平面図
【図３】は枠組足場の建枠に巻き付ける横方向の平ベルトと左右に分かれたフックがある部分を横から見た立面図
【図４】は枠組足場の建枠に巻き付ける横方向の平ベルトを上から見た見下図
【図５】は左右に分かれたフックのみがある部分を上からの見た見下げ図
【図６】は左右に分かれたフックを前から見た立面図
【図７】は左右に分かれたフックを横から見た立面図
【図８】は左右に分かれたフックの斜視図
【図９】は左右に分かれたフックにメッシュシートのハトメを引掛けた状態を正面から見たイメージ図
【図１０】は左右に分かれたフックにメッシュシートのハトメを引掛けた状態を横から見た立面図
【図１１】は左右に分かれたフックにメッシュシートのハトメを引掛けた状態を上から見た見下げ図
【図１２】は左右に分かれたフックに一枚のメッシュシートのハトメを引掛けた場合に枠組足場の建枠に巻き付ける平ベルトの状態を正面から見たイメージ図（丸の中の図は引き出し線部分の詳細図）
【図１３】は糸で縫付けてフックを固定する手段の立面図
【図１４】は糸で縫付けてフックを固定する手段の断面図
【図１５】はフックを裏表から押しつけてプレートをビス又はカシメで固定する手段の立面図
【図１６】はフックを裏表から押しつけてプレートをビス又はカシメで固定する手段の断面図
【図１７】は溶融圧着でフックを固定する手段の立面図
【図１８】は溶融圧着でフックを固定する手段の断面図
【図１９】はフックと一体となる金具を平ベルトにカシメて固定する手段の立面図
【図２０】はフックと一体となる金具を平ベルトにカシメて固定する手段の断面図
【発明を実施するための形態】
【０００８】以下、本発明の実施の形態を図に基づいて説明する。
【実施例１】
【０００９】［図９］〜［図１１］はメッシュシートのハトメ用連続フックを使ってメッシュシートを取付けた場合のイメージ図である。
【実施例２】
【００１０】［図１２］は一枚のメッシュシートのハトメにフックを引掛けた時に正面から見た立面図で、メッシュシートの左右上下両端部ハトメはシートクランプで留め、上下端部以外の中間のハトメの穴間隔は社団法人仮設工業会認定メッシュシートのメーターサイズとインチサイズ共に３００ｍｍ間隔で、該間隔に合わせた左右に分かれたフックに引っ掛けているので、そのフックから縦方向の平ベルトに風圧等の力が伝達してメッシュシートが煽られてメッシュシートと建地との隙間が大きくなって飛来落下の原因とならないように横方向の平ベルトを従来のジョイントロープの規定引っ張り強度１ｋＮよりも引っ張り強度が大きい平ベルトを使用する事により、横方向の平ベルト取付け間隔を１ｍ程度まで広くして枠組足場の建枠にメッシュシートを取付けた時のイメージ図である。
【符号の説明】
【００１１】１  枠組足場の建枠に沿わす縦方向の平ベルト
１−２  縦方向の平ベルトの上下両端部にハトメ穴を開け、ヒモを通し足場枠に結束して該平ベルトが一時的に落ちないようにするハトメ穴
２  メッシュシートのハトメを引掛ける左右に分かれたフック
３  符号２の左右に分かれたフックを固定させる部材
４  隠れている部材の形状（点線部分）
５  枠組足場の建枠に巻き付ける横方向の平ベルト
６  符号５の横方向の平ベルトを建枠に締付ける金具
７  縫付けた糸（二点鎖線）
８  横方向の平ベルトの余った部分を留める面ファスナー
９  枠組足場の建枠（本発明対象外）
１０  メッシュシート（本発明対象外）
１１  メッシュシートのハトメ（本発明対象外）
１２  シートクランプ（本発明対象外）
１３  溶融圧着の部分（鎖線交差部分）
１４  フックと一体となる中空部分を有する金具の一部で、縦方向の平ベルトを該中空部分に通して平ベルトをカシメて固定する部分
１５  フックと一体となる金具の一部でフックを固定させる部分
１６  フックを固定するためのフックに押しつけるためのプレート
１７  裏表からフックを押しつけるためのプレートを固定するビス又はカシメ
【図１】
2017150293.tif 000003
【図２】
2017150293.tif 000004
【図３】
2017150293.tif 000005
【図４】
2017150293.tif 000006
【図５】
2017150293.tif 000007
【図６】
2017150293.tif 000008
【図７】
2017150293.tif 000009
【図８】
2017150293.tif 000010
【図９】
2017150293.tif 000011
【図１０】
2017150293.tif 000012
【図１１】
2017150293.tif 000013
【図１２】
2017150293.tif 000014
【図１３】
2017150293.tif 000015
【図１４】
2017150293.tif 000016
【図１５】
2017150293.tif 000017
【図１６】
2017150293.tif 000018
【図１７】
2017150293.tif 000019
【図１８】
2017150293.tif 000020
【図１９】
2017150293.tif 000021
【図２０】
2017150293.tif 000022